(57)【特許請求の範囲】
【請求項１】
抗菌性及び防カビ性を有する架橋アクリレート系繊維からなり、吸湿性に加えて、放湿性を有する中空円筒状に形成されてなる吸湿棒が、押入れに収納される布団同士の間隙、または布団と押入れの床面との間に差し込まれ、この差し込まれた状態で、吸湿棒は、その両端部が布団に塞がれないで、当該吸湿棒の筒部が貫通するようにできるだけの長さとなされたことを特徴とする押入れ構造。
【請求項２】
気温２０℃、相対湿度５０％と、気温２０℃、相対湿度９５％とにおける吸湿量差が３０ｇ／ｍ２以上となされた吸湿棒を用いる請求項１記載の押入れ構造。
【請求項３】
吸湿状況を把握するための湿気感知センサーが設けられてなる吸湿棒を用いる請求項１または２記載の押入れ構造。
【請求項４】
押入れと居室との間にスリット状の開口が設けられ、押入れの内外で換気ができるようになされた請求項１ないし３の何れか一記載の押入れ構造。
【発明の詳細な説明】
【０００１】
【発明の属する技術分野】
本発明は、押入れにおいて、この押入れに収納されている布団などの間に差し込んで使用する吸湿棒を用いた押入れ構造に関するものである。
【０００２】
【従来の技術】
一般に、押入れにおいては、就寝時の人体からの汗などを吸湿した布団、毛布、枕などをそのまま収納するため、湿気が溜まり易くなる。
【０００３】
そこで、従来より、このような押入れ内に積み重ねられた布団同士の間に差し込むようになされた除湿棒が提案されている。
【０００４】
すなわち、この除湿棒は、棒状の容器の中に、シリカゲルや塩化カルシウムなどの除湿剤を設けて構成されており、布団同士の間隙に挿入することで、布団から直接除湿するようになされていた。
【０００５】
【発明が解決しようとする課題】
しかし、上記従来の除湿棒の場合、除湿棒自体が布団などから直接湿気を吸収するが、これらの除湿剤は再使用することができず、再使用できたとしても、再生に高温を要するため、このような押入れ内においては、吸湿力を再生することができない。
【０００６】
本発明は、係る実情に鑑みてなされたものであって、押入れに収納された布団などの除湿を充分に行って、湿気によるカビの発生などを防止することができるとともに、除湿能力を再生して持続させることができる吸湿棒を用いた押入れ構造を提供することを目的としている。
【０００７】
【課題を解決するための手段】
上記課題を解決するための本発明の押入れ構造は、抗菌性及び防カビ性を有する架橋アクリレート系繊維からなり、吸湿性に加えて、放湿性を有する中空円筒状に形成されてなる吸湿棒が、押入れに収納される布団同士の間隙、または布団と押入れの床面との間に差し込まれ、この差し込まれた状態で、吸湿棒は、その両端部が布団に塞がれないで、当該吸湿棒の筒部が貫通するようにできるだけの長さとなされたものである。
また、気温２０℃、相対湿度５０％と、気温２０℃、相対湿度９５％とにおける吸湿量差が３０ｇ／ｍ２以上となされた吸湿棒を用いるものである。さらに、吸湿状況を把握するための湿気感知センサーが設けられてなる吸湿棒を用いるものである。さらに、押入れと居室との間にスリット状の開口が設けられ、押入れの内外で換気ができるようになされたものである。
【０００８】
【発明の実施の形態】
以下、本発明の実施の形態を図面を参照して説明する。
【０００９】
図１は吸湿棒１の全体構成の概略を示し、図２および図３は同吸湿棒１の使用状態である押入れ構造を示している。
【００１０】
すなわち、この吸湿棒１は、吸放湿性基材２によって円筒状に形成されている。
【００１１】
この吸湿棒１は、押入れ３に収納された布団同士４、４の間隙に、差し込んだ状態で、この吸湿棒１が接するそれぞれの布団４、４から吸湿するようになされている。また、吸湿棒１は、円筒状に形成されているので、筒部１０内に通気させることができるようになされている。
【００１２】
このような吸湿棒１を形成する吸放湿性基材２としては、単に湿度を調整する吸放湿性を有するもの、もくしは、上記吸放湿性に加えて、カビの発生を防止する抗菌性、防カビ性を有するものを使用することができる。
【００１３】
吸放湿性を有する吸放湿性基材２としては、例えば、カネボウ社製 ベルオアシス（商
品名）などの吸放湿性アクリレート系繊維を使用することができる。この吸放湿性アクリレート系繊維の場合も、抗菌繊維を併用することによって簡単に抗菌性、防カビ性を兼ね備えた吸放湿性基材２にすることができる。
【００１４】
また、吸放湿性に加えて、抗菌性、防カビ性を兼ね備えた吸放湿性基材２としては、例えば、東洋紡社製 モイスケア（商品名）などの架橋アクリレート系繊維を使用すること
ができる。この架橋アクリレート系繊維の場合、具体的なものとしては、ヒドラジン架橋による窒素含有量の増加が１．０重量％〜８．０重量％である架橋アクリレート系繊維であって、残存ニトリル基の一部に１．０ｍｍｏｌ／ｇ〜４．５ｍｍｏｌ／ｇの塩型カルボキシル基が導入され、残部にアミド基が導入されており、引張り強度が１ｇ／ｄ以上、限界酸素指数が２４以上および滅菌率が９０％以上の吸放湿性繊維が好ましいものとして挙げられる。
【００１５】
上記架橋アクリレート系繊維は、アクリル系繊維にヒドラジン処理により架橋結合を導入して窒素含有量の増加を１重量％〜８重量％の範囲内に調整し、加水分解反応により残存しているニトリル基の１．０ｍｍｏｌ／ｇ〜４．５ｍｍｏｌ／ｇにカルボキシル基を導入し、残部にアミド基を導入し、次いでこのカルボキシル基を塩型にすることによって得ることができる。
【００１６】
最良の吸放湿性基材２であるこの架橋アクリレート系繊維について、以下に具体的に説明する。
【００１７】
上記架橋アクリレート系繊維の原料繊維としては、アクリロニトリル（以下、ＡＮという）を４０重量％以上、好ましくは５０重量％以上含有するＡＮ系重合体により形成された繊維が挙げられる。かかる原料アクリル系繊維は、短繊維、トウ、糸、編織物、不織布などいずれの形態でもよく、製造工程中途品や廃繊維などであってもよい。ＡＮ系重合体は、ＡＮ単独重合体、ＡＮと他のモノマーとの共重合体のいずれでもよい。他のモノマーとしては、ハロゲン化ビニルおよびハロゲン化ビニリデン；（メタ）アクリル酸エステル；メタリルスルホン酸、ｐ−スチレンスルホン酸などのスルホン酸含有モノマーおよびその塩；（メタ）アクリル酸、イタコン酸などのカルボン酸含有モノマーおよびその塩；アクリルアミド、スチレン、酢酸ビニルなどのその他のモノマーが挙げられる。
【００１８】
アクリル系繊維に、ヒドラジン架橋を導入する方法としては、濃度６％〜８０％のヒドラジン水溶液中、温度５０℃〜１２０℃で、１〜５時間処理する方法が好ましいものとして挙げられる。窒素含有量の増加とは、原料アクリル系繊維の窒素含有量に比べヒドラジン架橋アクリル繊維の窒素含有量を増加させることをいう。ヒドラジンとしては、水加ヒドラジン、硫酸ヒドラジン、塩酸ヒドラジン、硝酸ヒドラジン、臭素酸ヒドラジンなどが挙げられる。
【００１９】
加水分解反応によりヒドラジン架橋されずに残存しているニトリル基量の１．０ｍｍｏｌ／ｇ〜４．５ｍｍｏｌ／ｇにカルボキシル基を導入し、残部にアミド基を導入する方法としては、アルカル金属水酸化物、アンモニアなどの塩基性水溶液；硝酸、硫酸、塩酸などの鉱酸の水溶液を含浸させた状態で、またはこの水溶液に原料繊維を浸漬した状態で加熱処理する手段が挙げられる。なお、前記架橋結合の導入と同時に加水分解反応を行うこともできる。また、酸で加水分解した場合にはカルボキシル基を塩型に変換する必要がある。
【００２０】
カルボキシル基を塩型にする方法としては、上述した加水分解繊維を下記に例示する各種の塩型の水酸化物または塩の水溶液に浸漬し、その後水洗、乾燥する方法が好適に用いられる。カルボキシル基の塩型としては、Ｌｉ、Ｎａ、Ｋなどのアルカリ金属、Ｂｅ、Ｍｇ、Ｃａ、Ｂａなどのアルカリ土類金属、Ｃｕ、Ｚｎ、Ａｌ、Ｍｎ、Ａｇ、Ｆｅ、Ｃｏ、Ｎｉなどの他の金属、ＮＨ4 、アミンなどの有機の陽イオンを挙げることができる。
【００２１】
この架橋アクリレート系繊維は、窒素を含有する架橋構造により抗菌性がもたらされているものと推定される。また、この架橋アクリレート系繊維は、吸湿性のみならず放湿性にも優れているので、押入れ３内の環境において使用しても充分に吸湿性を再生することができる。この架橋アクリレート系繊維は、吸放湿性基材２の全体を構成してもよいし、他の化学繊維、天然繊維、動物繊維などと混合して吸放湿性基材２を構成するものであってもよい。
【００２２】
この吸放湿性基材２を、円筒状の吸湿棒１に形成するには、例えば、次のようにして行うことができる。
【００２３】
まず、吸放湿性基材２は、上記架橋アクリレート系繊維に溶融接着可能な接着繊維を混入して帯状の不織布としておく。
【００２４】
この吸放湿性基材２は、芯材（図示省略）に巻き付けて円筒状とした後、加熱する。すると、吸放湿性基材２に混入させた接着繊維が加熱溶融し、この溶融した接着繊維によって、吸放湿性基材２を構成する各繊維が点接着によって円筒状に成形されることとなる。その後、芯材（図示省略）を取り除く。
【００２５】
これにより、吸放湿性基材２の吸放湿性を阻害することなく、円筒状に形成することができることとなる。
【００２６】
なお、上記した方法以外に、複数の通気孔を有する円筒メッシュ状の成形筒（図示省略）の外周に、吸放湿性基材２を巻回して吸湿棒１を形成するものであってもよい。
【００２７】
この吸放湿性基材２の吸放湿量は、特に限定されるものではないが、気温２０℃、相対湿度５０％と、気温２０℃、相対湿度９５％とにおける吸湿量差が３０ｇ／ｍ２以上のもの、特に１００ｇ／ｍ２以上のものを使用することが好ましい。
【００２８】
また、この吸放湿性基材２によって形成される吸湿棒１は、押入れ３に収納される布団同士４、４の間隙に差し込むことができる大きさであれば、特にその直径や長さが限定されるものではない。
【００２９】
ただし、吸湿棒１は、布団同士４、４の間隙に差し込んだ状態で、その両端部が布団４に塞がれないで筒部１０が貫通するようにできるだけの長さを有するものを使用することが好ましい。両端部または一端部が布団４の中に埋もれた状態だと、吸湿棒１は、筒部１０内の通気を確保することができなくなるので、吸湿が飽和状態になった後、湿気を逃がすことが出来ず、吸湿性を回復させることができなくなってしまう。
【００３０】
このようにして構成される吸湿棒１は、押入れ３に収納された布団同士４、４の間隙を適宜に差し込まれる。
【００３１】
これにより、布団４に含まれる湿気などがこの吸湿棒１に吸湿される。
【００３２】
また、この吸湿棒１は、吸放湿性基材２が放湿性を有しているので、吸湿が飽和状態になってきた状況で、筒部１０内に乾燥した空気が通過すると、この空気に放湿して吸湿性を自動的に回復することとなる。したがって、この吸湿棒１は、定期的に筒部１０内に空気を循環させて吸湿性を回復させながら使用することが好ましい。このような筒部１０内の空気の循環を行うことができる押入れ３としては、例えば、押入れ３と居室５との間にスリット状の開口３０が設けられ、押入れ３の内外で換気ができるようになされた換気型の押入れ３などが有効である。
【００３３】
また、このような換気型の押入れ３でない場合であっても、吸湿棒１による吸湿が飽和状態になってきた状況で、押入れ３の襖３１を開放させておけば、筒部１０内３に空気が循環することとなり、吸放湿性基材２の吸湿性を回復させることができることとなる。
【００３４】
さらに、もっと積極的に吸湿棒１による吸湿性を回復させる場合は、押入れ３から吸湿棒１を取り出し、天日乾しすれば急速に吸湿性を回復させることができる。
【００３５】
このような使用状態において、吸湿棒１による吸湿性が飽和状態になって来たか否かを見極めることが容易にできるように、図１に示すように、吸湿棒１に湿気感知センサー６を設けておいてもよい。これにより、使用者は、吸湿性が飽和状態になって来たことを容易に把握することができることとなる。この湿気感知センサー６としては、吸湿棒１を構成する吸放湿性基材２の湿度状況を把握することができるものであれば、特に限定されるものではなく、公知の各種湿気感知センサー６を使用することができる。例えば、この湿気感知センサー６としては、感湿剤を利用したものが使用される。感湿剤は、湿分と接触すると色の変化を生じ、放湿するともとの色に戻るという性質を有しているため、吸湿性が飽和状態になってきたことを視覚によって容易に把握することができる。また、吸放湿性基材２の乾燥とともに、この湿気感知センサー６は、元の色に戻るため、吸放湿性基材２と同様に繰り返し使用することができる。具体的に、この湿気感知センサー６は、吸放湿性基材２に感湿剤を介して非透湿性フィルムを積層し、少なくとも非透湿性フィルムの周囲を吸放湿性基材２に接着することで構成することができる。この感湿剤としては、二塩化コバルト（青色、吸湿により淡赤色）臭化コバルト（緑色、吸湿により青〜赤紫色）、塩化ニッケル（黄色、吸湿により淡緑色）、臭化ニッケル（黄褐色、吸湿により緑色）等が挙げられる。
【００３６】
この感湿剤は、粉体の状態でそのまま吸放湿性基材２に付着せしめて使用してもよいし、あらかじめフィルム状に成形した感湿剤フィルムとして使用してもよい。
【００３７】
感湿剤フィルムは、例えば上記感湿剤を樹脂エマルジョンに配合し、均一に分散させたものをフィルム状にし、さらに溶媒を除去することによって形成することができる。また、感湿剤フィルムは、非透湿性フィルムの吸放湿性基材２側の面に、感湿剤が配合された樹脂エマルジョンを塗布、乾燥させることによって形成することもできる。
【００３８】
感湿剤フィルムを形成する際に用いられる樹脂エマルジョンとしては、例えば、アクリル樹脂エマルジョン、酢酸ビニル樹脂エマルジョン、エチレン−酢酸ビニル樹脂エマルジョン、フェノール樹脂エマルジョン、不飽和ポリエステル樹脂エマルジョン、エポキシ樹脂エマルジョン、ウレタン樹脂エマルジョンなどが挙げられる。樹脂エマルジョンの選択は、吸放湿性基材２との接着性、耐光性、難燃性、耐熱性などの要求性能に応じて適宜行えばよい。
【００３９】
また、上記したような湿気感知センサー６を設けていなかったり、湿気感知センサー６による感知に気づかなかったとしても、この吸湿棒１の吸放湿性基材２は、抗菌性、防カビ性を有しているので、布団４などにカビが発生するといったことを防止することができるとともに、押入れ３内にカビなどによる悪臭が発生するのを防止することができることとなる。
【００４０】
なお、本実施の形態において、吸湿棒１は、布団同士４、４の間隙に差し込むようになされているが、布団４と押入れ３の床面３２との間に差し込むものであってもよい。
【００４１】
また、本実施の形態では、吸湿棒１は、円筒状となされているが、布団同士４、４の間隙に差し込み易いように、先端部に向かって縮径するようになされたテーパ状のものであってもよい。また、吸湿棒１は、直線状となされているが、曲線状となされたものであってもよい。さらに、吸湿棒１は、端部が長手方向に沿って開口しているが、図４に示すように、長手方向に対して直交する方向に開口するようになされたものであってもよい。
【００４２】
【発明の効果】
以上述べたように、本発明によると、押入れに収納された布団同士の間隙に、この吸湿棒を差し込むことで、布団などの湿気を吸湿することができ、湿気によるカビの発生を防止することができる。
【００４３】
また、吸湿棒は円筒状となされているので、その内部に通気させることで、通気による除湿も行うことができることとなる。特に、この吸湿棒は、吸湿性に加えて放湿性を有するものとすることにより、布団などから吸湿した湿気を、円筒内を通過する空気に放湿して除湿能力を再生して持続させることができることとなる。
【図面の簡単な説明】
【図１】  本発明に係る押入れ構造に用いられる吸湿棒の全体構成の概略を示す斜視図である。
【図２】  本発明に係る押入れ構造を示す断面図である。
【図３】  図２における部分拡大斜視図である。
【図４】  （ａ）および（ｂ）は、本発明に係る押入れ構造に用いられる吸湿棒の他の実施の形態を示す部分斜視図である。
【符号の説明】
１  吸湿棒
２  吸放湿性基材
３  押入れ
４  布団
６  湿気感知センサー
【図１】
0004984349.tif 000002
【図２】
0004984349.tif 000003
【図３】
0004984349.tif 000004
【図４】
0004984349.tif 000005